(57)【特許請求の範囲】
【請求項１】
ａ）金属製基体部と、馬蹄形に形成され、先端が金属製基体部の外部に突出する施錠方向と、該突出された先端が金属製基体部の内部に戻される解錠方向とに摺動可能に収容されたかんぬきと、金属製基体部と前記かんぬきを覆うケースとを備えた錠本体と、ｂ）前記かんぬきを少なくとも解錠方向に作動させる電動アクチュエータを備えた駆動手段を有する自転車用錠装置において、前記駆動手段を、前記かんぬき側の一端が二股に分岐され、一方の先端爪が前記かんぬきの外周面に形成されたきり欠きに嵌入、係合され、他方の先端爪に前記一方の先端爪を前記かんぬき側に付勢するばねが設けられた連桿体と減速機構とを有し、作動信号に基づいて作動する電動アクチュエータを備えた手段から構成するとともに、前記ケースを樹脂から形成し、前記金属製基体部と前記ケースとの接続部を、金属製基体部の側壁に設け、かつ、該接続部には、前記金属製基体部と前記ケースとが互いに係合する係合部を設けたことを特徴とする自転車用錠装置。
【請求項２】
前記金属製基体部のかんぬきの突出口、および該突出口に対向して設けられ外部に突出されたかんぬきの先端が挿入される金属製基体部の挿入口に門型のかんぬきガイドを有し、前記ケースが該ガイドに固定されている、請求項１の自転車用錠装置。
【請求項３】
前記ケースに金属製の補強部材が付設されている、請求項１または２の自転車用錠装置。
【請求項４】
前記金属製基体部に、前記かんぬきが摺接可能なガイド部が設けられている、請求項１ないし３のいずれかに記載の自転車用錠装置。
【請求項５】
前記錠本体および電動アクチュエータを有する第３の構成要素を備え、さらに、該第３の構成要素とは別体に構成された、少なくとも識別信号を発信する送信手段を有する第１の構成要素と、送信手段からの信号を受信する受信手段、受信手段が受信した識別信号を判定する判定手段、判定手段による判定に基づいて前記電動アクチュエータに所定の作動信号を発する制御手段を有する第２の構成要素を備えている、請求項１ないし４のいずれかに記載の自転車用錠装置。
【請求項６】
前記第３の構成要素と前記第２の構成要素はハーネスにより電気的に接続されている、請求項５の自転車用錠装置。
【請求項７】
少なくとも前記電動アクチュエータ用の電源を有し、該電源が前記第２の構成要素内に収納されている、請求項５または６の自転車用錠装置。
【請求項８】
前記電動アクチュエータがモータからなる、請求項５ないし７のいずれかに記載の自転車用錠装置。
【請求項９】
前記電動アクチュエータと錠本体との間に減速機構と連桿体を有している、請求項５ないし８のいずれかに記載の自転車用錠装置。
【請求項１０】
さらに、前記電源の電圧を検出し、検出された電圧が予め定められた最低電圧以下になったとき前記作動信号の発信を停止する第２の制御手段を有する、請求項７の自転車用錠装置。
【請求項１１】
さらに前記かんぬきの解錠完了を検出する解錠完了検出手段を有し、該解錠完了検出手段からの信号に基づき、前記電動アクチュエータの作動を停止する、請求項５ないし１０のいずれかに記載の自転車用錠装置。
【請求項１２】
前記第２の構成要素に前記受信手段のアンテナが内蔵され、少なくともアンテナ部分のカバーが樹脂で構成されている、請求項５ないし１１のいずれかに記載の自転車用錠装置。
【発明の詳細な説明】
【０００１】
【発明の属する技術分野】
本発明は、自転車用錠装置に関し、とくに、遠隔操作により解錠を行うことができる自転車用錠装置に関する。
【０００２】
【従来の技術】
従来から、自転車の盗難等を防止する自転車用錠装置としては、図１０に示すようなものが知られている。図１０において、２０１は錠本体を示している。錠本体２０１は、金属製基体部２０７と馬蹄形に形成されたかんぬき２０２と、該かんぬき２０２を施解錠方向に摺動可能に保持する枠体２０４を有している。また、かんぬき２０２の一端にはコイルスプリング２０３が連結されており、該コイルスプリング２０３によりかんぬき２０２は解錠方向に付勢されている。金属製基体部２０７は金属製ケース２０８に覆われており、ケース２０８は一体成形品からなっている。
【０００３】
このような自転車用錠装置においては、かんぬき２０２が施錠位置（一点鎖線の位置）まで移動することにより施錠が行われるようになっている。また、鍵穴２０６に鍵（図示略）を差し込み操作することによりかんぬき２０２のロック機構（図示略）が解錠されかんぬき２０２がスプリング２０３の引張力により基体部２０７内に引っ張り込まれることにより解錠が行われるようになっている。
【０００４】
また、最近、使用者の便宜を図るため識別信号を含む電波や光信号を発信する送信手段による遠隔操作により解錠を行うことができるようにした自転車用錠装置が開発されつつある（たとえば、特開平８−２６０７８４号公報、特開平９−２２６６４９号公報）。このような錠装置では、送信手段からの信号を受信手段で受信し、識別信号を確認した後アクチュエータを作動させて自動的に解錠することができるので、解錠の際に鍵穴に鍵を差し込んで操作する必要がなく、暗闇の中でも容易に解錠操作を行うことができ、きわめて便利である。なお、上記のような遠隔操作による解錠可能な自転車用錠装置においても、錠本体の外観は金属製基体部を金属製ケースで覆う構造が採用されている。
【０００５】
【発明が解決しようとする課題】
しかしながら、金属材料（たとえば、鉄、アルミニウム合金）をケース形状に加工するためには、通常、絞り加工、ダイカスト加工等が採用されているが、ケース形状が複雑になると加工が困難になるおそれがあり、一体成形が不可能なものについては溶接を併用する必要が生じる場合もある。また、錠本体の意匠性を向上するためには、別途塗装工程が必要になる。さらに、金属性ケースを用いた場合には、装置の軽量化の要請に十分に対応できなくなるおそれがある。
【０００６】
さらに、従来の遠隔操作による解錠可能な自転車用錠装置においては、送信手段からの信号を受信する受信手段と、機械的に施解錠を行う錠本体部分とが、一つの組み立て部品として構成されていたので、この錠装置が大型の部品となり、実際に自転車に取り付け可能な部位が制約されたり、あるいは、車種によっては取り付けが困難であるという問題があった。また、大型の部品であるため取扱いが難しく、自転車に取り付け可能な場合にあっても、その取り付け作業に時間を要するという問題もあった。さらに、このような錠装置は、通常、解錠動作を行わせるためのアクチュエータ用の電源（たとえば、電池）を搭載しているが、上記の如く大型の一体化部品になると、容易に電源交換を行うことのできる構造を設計することが困難になるという問題もあった。
【０００７】
そこで本発明の課題は、このような従来装置における問題点に着目し、自転車用錠装置、とくに錠本体の加工性、意匠性の向上、軽量化の要請に十分に対応でき、さらに、遠隔操作により解錠可能な自転車用錠装置については上記効果に加えて、装置を小型の部品から構成可能とし、実際に自転車に取り付ける際の位置的な制約を緩和し、電源交換を容易に行うことのできる構造とした、便利で汎用性の高い自転車用錠装置を提供することにある。
【０００８】
【課題を解決するための手段】
上記課題を解決するために、本発明の自転車用錠装置は、ａ）金属製基体部と、馬蹄形に形成され、先端が金属製基体部の外部に突出する施錠方向と、該突出された先端が金属製基体部の内部に戻される解錠方向とに摺動可能に収容されたかんぬきと、金属製基体部と前記かんぬきを覆うケースとを備えた錠本体と、ｂ）前記かんぬきを少なくとも解錠方向に作動させる電動アクチュエータを備えた駆動手段を有する自転車用錠装置において、前記駆動手段を、前記かんぬき側の一端が二股に分岐され、一方の先端爪が前記かんぬきの外周面に形成されたきり欠きに嵌入、係合され、他方の先端爪に前記一方の先端爪を前記かんぬき側に付勢するばねが設けられた連桿体と減速機構とを有し、作動信号に基づいて作動する電動アクチュエータを備えた手段から構成するとともに、前記ケースを樹脂から形成し、前記金属製基体部と前記ケースとの接続部を、金属製基体部の側壁に設け、かつ、該接続部には、前記金属製基体部と前記ケースとが互いに係合する係合部を設けたことを特徴とするものからなる。
【０００９】
上記金属製基体部のかんぬきの突出口、および該突出口に対向して設けられ外部に突出されたかんぬきの先端が挿入される金属製基体部の挿入口に門型のかんぬきガイドを有し、前記ケースが該ガイドに固定されることが好ましい。
【００１１】
上記ケースには、金属製の補強部材が付設されることが好ましい。補強部材の付設により、ケースに求められる十分な強度を付与することができる。補強部材は、たとえばケースを成形する際に金型内に予めインサートしておいて一部または全部をケースに埋設してもよく、ケース成形後に該ケースの表面に接合してもよい。
【００１２】
また、上記金属製基体部には、かんぬきに摺接可能なガイド部が設けられることが好ましい。すなわち、本発明においては、ケースが樹脂から構成されることになるが、上記のようなガイド部を設ければかんぬきのケースへの摺接を防止することができ、ケースの摩耗等が確実に防止され、ケースを樹脂で構成することにより生じるおそれのある弊害を排除することができる。
【００１３】
また、本発明に係る自転車用錠装置は、遠隔操作により解錠可能な自転車用錠装置とすることができる。このような自転車用錠装置は、前記錠本体および電動アクチュエータを有する第３の構成要素を備え、さらに、該第３の構成要素とは別体に構成された、少なくとも識別信号を発信する送信手段を有する第１の構成要素と、送信手段からの信号を受信する受信手段、受信手段が受信した識別信号を判定する判定手段、判定手段による判定に基づいて前記電動アクチュエータに所定の作動信号を発する制御手段を有する第２の構成要素を備えていることが好ましい。
【００１４】
上記のように第１ないし第３の構成要素を互いに別体に構成することにより、実際に自転車に取り付ける際の位置的制約を緩和することができるとともに、電池交換等のメンテナンス作業性を大幅に向上することができる。また、上記各要素を別体に構成する場合であっても、ハーネスを用いれば第２の構成要素と第３の構成要素との電気的接続状態を良好に確保することができる。
【００１５】
上記遠隔操作により解錠可能な自転車用錠装置は、少なくとも上記電動アクチュエータ用の電源を有し、この電源が上記第２の構成要素内に収納されている構造とすることができる。電源としては、通常、電池が用いられる。また、電動アクチュエータとしては、モータや電磁ソレノイドを用いることができる。とくに、モータを用い、モータと錠本体との間に減速機構を介在させた構造とすることにより、小さな電動アクチュエータで大きな動作力を得ることが可能になる。解錠動作は、後述の実施態様に示す如く、連桿体を介して行うようにすれば、簡素な構造でありながら確実な動作が確保される。
【００１６】
この本発明に係る遠隔操作による解錠可能な自転車用錠装置では、次のような構成を採ることができる。すなわち、さらに、上記電源の電圧を検出し、検出された電圧が予め定められた最低電圧以下になったとき上記作動信号の発信を停止する第２の制御手段を有する構成とすることができる。
【００１７】
また、さらに上記錠本体の解錠完了を検出する解錠完了検出手段を有し、該解錠完了検出手段からの信号に基づき、上記駆動手段の作動を停止するようにすることができる。
【００１８】
さらに、上記第２の構成要素には上記受信手段のアンテナが内蔵されていることが好ましく、その場合には、少なくともアンテナ部分のカバーが樹脂で構成されている構造が好ましい。
【００１９】
このような本発明に係る自転車用錠装置においては、金属製基体部を覆うケースが樹脂からなっているので、錠本体、ひいては装置の軽量化を達成することができる。また、従来の金属製ケースにおいては一体成形が困難であった複雑形状のものについても、たとえば射出成形等により容易に一体成形することができるので、加工性、設計の自由度を向上することができる。また、ケースを樹脂にすれば、着色等の表面装飾をケース成形時に同時に施すことができるので、従来の塗装工程等を省略しつつ、意匠性を向上することができる。なお、透明な樹脂（無色透明、着色透明、半透明等）を用いれば外部から内部構造を観察できる、いわゆるスケルトン構造を採用することも可能である。
【００２０】
また、本発明に係る遠隔操作による解錠可能な自転車用錠装置においては、上記効果に加え、以下のような効果を発揮できる。すなわち、該錠装置の第１の構成要素以外の部分が、第２の構成要素と第３の構成要素との別体構成とされるので、つまり、従来一体化部品として構成されていたこの部分が分割構成とされるので、第２の構成要素と第３の構成要素は各々小型の部品に形成可能となり、部品の取扱いや実際に自転車に取り付ける際の作業性が大幅に向上される。これら第２の構成要素と第３の構成要素は別体の要素でありながらハーネスにより電気的に接続されるので、基板や電源等の電気部品を第２の構成要素内に収納することが可能となる。その結果、機械的に施解錠を行う第３の構成要素から、電気部品を極力分離して設置することが可能になり、これら電気部品を適切に保護することが可能になる。
【００２１】
また、とくに電源（電池）を、第３の構成要素とは分離して、第２の構成要素内に収納することが可能となるので、電源（電池）交換のための構造を容易に設計でき、交換作業性を向上して、使用者における操作性の向上をはかることも可能となる。
【００２２】
【発明の実施の形態】
以下に、本発明の自転車用錠装置の望ましい実施の形態について、図面を参照して説明する。
図１ないし図４は、本発明の一実施態様に係る自転車用錠装置を示している。本実施態様に係る自転車用錠装置は、図１、図２に示すように、第１の構成要素１と、第２の構成要素２と、第３の構成要素３とからなっており、これらは実質的に別体に構成されている。とくに、従来の構成と異なり、第２の構成要素２と第３の構成要素３とが機械的に分離されており、後述の如く、これらはハーネスを介して電気的には接続されている。
【００２３】
第１の構成要素１には、少なくとも識別信号を含む電波４を発信する発信回路を備えた送信手段５と、送信手段５用の電源６（たとえば、電池）と、電波４の発信をオン・オフするスイッチ手段７（たとえば、押しボタンスイッチ）と、送信手段５からの電波発信用アンテナ８が内蔵されている。スイッチ手段７は、構成要素１の外部から操作できるようになっている。この第１の構成要素１は、自転車から離れた位置からでも自転車用錠装置の作動、とくに解錠動作を行わせることのできるリモートスイッチを構成している。第１の構成要素１には、図３に示すように、たとえばキーホルダ９を介して手動解錠用のスペアキー１０を付設しておいてもよい。なお、本実施態様では識別信号を電波４により発信しているが、光信号等による方法も可能である。
【００２４】
第２の構成要素２は、とくに図２に示すように、上記送信手段５からの電波４を受信するアンテナ１１および受信回路を備えた受信手段１２と、受信手段１２が受信した識別信号が所定の持主のものか否かを比較、判定する判定手段１３（比較判定手段）と、該判定手段１３による判定に基づき、所定の識別信号である場合に、解錠のための所定の作動信号を発する制御手段１４（本実施態様では、後述の第２の制御手段と区別するため、「第１の制御手段」と呼ぶ。）を有しており、該第１の制御手段１４は、ラッチ回路１５と、後述の電動アクチュエータの駆動を制御するアクチュエータ制御回路１６とで構成されている。第２の構成要素２はさらに、これらの手段、回路制御用および後述の電動アクチュエータ等駆動用の電源１７（たとえば、電池）と、この電源１７の電圧を検出し、検出された電圧が予め定められた最低電圧以下になったとき上記作動信号の発信を停止する第２の制御手段１８とを有しており、第２の制御手段１８は、電源１７の電圧を検出する電源電圧検出回路１９と、許容最低電圧を設定する最低電圧設定回路２０と、電源１７の電圧と設定最低電圧を比較する電圧比較手段２１と、ラッチ回路１５とで構成されている。この第２の制御手段１８を設けることにより、電源１７（電池）の電圧が最低電圧以下になると、ラッチ回路１５からアクチュエータ制御回路１６への作動信号の発信が停止され、モータ３２は駆動されないので、電圧不足により、かんぬき３３が途中位置で停止したりする不都合の発生が防止される。また、遠隔操作が効かなくなることから、使用者は電源１７（電池）の交換時期に至っていることを認識できる。この状態での解錠は、手動で行えばよい。新しい電源１７に交換することにより、電源電圧検出回路１９における電圧は初期の所定レベルに復帰するので、モータ３２の正常な作動が可能になり、前述の如き遠隔操作が行えるようになる。
【００２５】
第２の構成要素２は、図１および図３に示すように、上記の回路が組み込まれた基板２２と、電源としての電池１７とを、ケース２３内に収納して構成されている。基板収納部と電池収納部は区画されており、電池１７は容易に交換できるようになっている。また、第２の構成要素２のケース２３の、少なくともアンテナ１１部分のカバー部２４は、電波を良好に受信できるように樹脂で構成されている。
【００２６】
第３の構成要素３は機械的な錠本体部を含むもので、本実施態様では、第３の構成要素３は自転車１００の後輪１０１に対して取り付けられている。ただし、前輪側に取り付けることも可能である。そして本実施態様では、第３の構成要素３はサドル１０２の下方において、後輪１０１およびその泥よけ１０３を跨ぐように、斜めに延びるフレーム１０４に固定されている。また、上記第２の構成要素２は、第３の構成要素３に対してフレーム１０４を間にして泥よけ１０３に設置されている。これら別体に構成された第２の構成要素２と第３の構成要素３とは、筒状部材２５を介して連結されている。筒状部材２５内にはハーネス２６が挿通されており、該ハーネス２６を介して、第２の構成要素２と第３の構成要素３は電気的に接続されている。
【００２７】
第３の構成要素３は、錠本体３１を有している。錠本体３１の外観は、金属製基体部３５と該基体部３５を覆う樹脂製のケース６３とからなっている。基体部３５には、枠体３４が設けられており、該枠体３４によりかんぬき３３が摺動可能に保持されている。また、第３の構成要素３は、第１の制御手段１４からの作動信号に基づいてかんぬき３３を少なくとも解錠方向に作動させる電動アクチュエータ３２を備えた駆動手段７０とを有しており、電動アクチュエータ３２の駆動用電力は第２の構成要素２内に収納された電源１７からハーネス２６等を介して給電されるようになっている。本実施態様では、電動アクチュエータ３２はモータからなっているが、たとえば電磁ソレノイド等の他の電動アクチュエータを用いることも可能である。
【００２８】
基体部３５は、門型のかんぬきガイド６４、６５を有しており、施錠時においては、かんぬきの突出口のガイド６４により案内され本体３１外に突出したかんぬき３３の先端が挿入口のガイド６５に案内され再び本体３１内に挿入されるようになっている（図１）。
【００２９】
ケース６３は上述のように樹脂からなっている。ケース６３は、たとえば射出成形により容易に一体成形することができる。ケース６３の側壁には複数の係合用穴６６が設けられており、該穴６６には基体部３５に形成された係合用突起６７が係合するようになっている。つまり、本実施態様においては図６に示すように基体部３５とケース６３との接続部は、かんぬき３３の外周面に対向する位置（金属製基体部の側壁）に設けられている（図６）。また、図６においては、基体部３５の突起６７は該基体部３５に一体的に形成されているが別体に構成してもよい。また、基体部３５には断面略Ｌ字型のストッパ金具７４が設けられており、該ストッパ金具７４によりケース６３の側壁のかんぬき３３側へのたおれ込みが防止されるとともに、ケース６３の内面へのかんぬき３３の摺接が防止されるので、ケース６３の摩耗が防止されるようになっている。
【００３０】
また、ケース６３の内面にはさぐり防止壁６８が設けられている。該壁６８は図５に示すように、かんぬき３３のつまみ部（図示略）を案内し施解錠方向に移動させる長穴６９の近傍に設けられている。そして、ケース６３を基体部３５にセットした際には、壁６８は、かんぬき３３の外面でシリンダ錠４５を覆うような位置関係になるようになっている。このため、たとえば施錠時にドライバー等を長穴６９からこじ入れたとしてもシリンダ錠４５側には進入できない構造が形成されている。
【００３１】
また、本実施態様においては、ケース６３には図７に示すように金属性の補強部材７１が付設されている。より具体的には、板状の補強部材７１がケース６３に埋設されている。この補強部材７１の付設により基体部３５内を保護する機能を有するケース６３に十分な強度が付与されるようになっている。なお、補強部材７１としては、たとえば金網、棒状部材を用いることもできる。補強部材７１は、ケース６３を成形する金型内に予めインサートしておけば、ケース６３の成形時に同時に付設することもできる。なお、図８に示すようにケース６３の内面に予め挟持用突起７２を形成しておきこれに補強部材７１をはめ込むようにしてもよい。
【００３２】
さらに、本実施態様においては、ケース６３には壁７３が設けられている。そして、ケース６３が基体３５を覆う際には、図１に示すようにかんぬき６５側の錠本体３１の内部と外部を遮断するようになっている。該壁７３により錠本体３１内の防水、防塵性が確保されるようになっている。
【００３３】
図９は、図４のＩＸ−ＩＸ線に沿う部分拡大断面図である。該部分においては、鉄製基体部３５がかんぬき３３に摺接可能なガイドとして機能している。このため、かんぬき３３が樹脂製のケース６３に接することはないのでケース６３の摩耗が防止されるようになっている。
【００３４】
第３の構成要素３における錠本体３１は、馬蹄形に湾曲させて形成されたかんぬき３３と、該かんぬき３３を施解錠方向に摺動可能に保持する枠体３４を有している。図１において、２点鎖線で示したかんぬき３３の位置が施錠位置を、実線で示したかんぬき３３の位置が解錠位置を、それぞれ示している。湾曲させて形成されたかんぬき３３の後端には、第３の構成要素３の基体３５内に、あるいは基体３５に設けられた上記枠体３４内に収容されたコイルスプリング３６の一端が連結されており、コイルスプリング３６の他端は所定位置に固定されている。このコイルスプリング３６は、かんぬき３３を解錠方向に引っ張っている。かんぬき３３をコイルスプリング３６の引張力に抗して手動で２点鎖線で示した位置まで動かすことにより施錠され、この施錠位置におけるロックを解除することにより、かんぬき３３はコイルスプリング３６の引張力によって自動的に実線で示した解錠位置まで移動されるようになっている。この解錠時には、基体３５に突設されたストッパ３７が、引っ張り込まれてきたかんぬき３３の先端部内面に当接することにより、かんぬき３３は所定の位置で停止されるようになっている。
【００３５】
かんぬき３３は、本実施態様では横断面コ字状に形成されており、その外周面の所定の２箇所の位置に、切り欠き３８、３９が設けられている。これら切り欠き３８、３９に、連桿体としてのロックレバー４０の先端部が嵌入、係合するようになっており、ロックレバー４０との係合に関して、切り欠き３８はかんぬき３３の解錠位置に、切り欠き３９は施錠位置に、それぞれ対応している。ロックレバー４０は、支点４１を中心に揺動自在に支持されており、かんぬき３３側先端部が二股に分かれ、一方の先端爪部４２が切り欠き３８、３９に係合可能に構成され、他方の先端部４３に対しては、ロックレバー４０をその先端爪部４２をかんぬき３３方向に常時付勢するばね４４が設けられている。先端爪部４２は、そのかんぬき３３側先端面に斜面部を有しており、かんぬき３３が解錠位置から施錠位置へと手動操作される際に、先端爪部４２が、自然に切り欠き３８から外れてかんぬき３３の外周面上に乗り上げるようになっている。
【００３６】
本実施態様では、手動解錠用のシリンダ錠４５が設けられている。シリンダ錠４５の鍵穴に前述のスペアキー１０を差し込み、ばね４６により引っ張られているカム４７を回動させて上記先端部４３を押動させロックレバー４０を揺動させることにより、先端爪部４２と切り欠き３９との係合を解除して解錠することができるようになっている。
【００３７】
ロックレバー４０の他方の端部４８は、減速機構４９を介してモータ３２へと係合、連結されている。減速機構４９は、モータ３２に直結されたウォームギア５０と、それに噛合する歯車群５１からなり、歯車群５１の最終歯車５１ａの軸に偏心カム５２が設けられている。偏心カム５２は、本実施態様では半円形状に形成されているが、円形の偏心カムでもよい。この偏心カム５２が、モータ３２の回転により減速機構４９を介して低速で回転され、回転する偏心カム５２がロックレバー４０の端部４８に摺接し、それによってロックレバー４０を揺動させることができるようになっている。減速機構４９を介在させることにより、小型のモータ３２の小さな出力トルクであっても、偏心カム５２の回転作動力としては比較的大きな力が得られる。電動アクチュエータとして電磁ソレノイドを使用する場合には、減速機構４９を介さずに直接ロックレバー４０を揺動させたり、さらには、ロックレバー４０を介在させずにソレノイドの出力端を直接切り欠き３８、３９に係合させることも可能である。
【００３８】
本実施態様では、錠本体の解錠完了を、上記偏心カム５２の回転位置、より正確には偏心カム５２と一体に回転する減速機構４９の歯車群５１の最終歯車５１ａの回転位置の検出により検出するようになっている。つまり、解錠完了検出手段を歯車群５１の最終歯車５１ａの回転位置検出手段として構成している。最終歯車５１ａには、原点マーク５３（または原点の位置を表す突起等）が付されており、この原点マーク５３が、位置検出手段としてのマイクロスイッチ５４によって検出される。５５は、このマイクロスイッチ５４用の位置検出回路（基板）である。モータ３２の作動は、原則的には、原点マーク５３および偏心カム５２が常に図１に示した位置にくるように停止される。すなわち、解錠が完了し、ロックレバー４０の先端爪部４２が切り欠き３８内に嵌入した位置である。この位置状態は、手動で施錠される際、および施錠完了後にも保たれる。したがって、施錠状態から解錠を開始する際には、モータ３２の回転により、減速機構４９を介して偏心カム５２が回転され、ロックレバー４０が揺動されて、直ちに先端爪部４２と切り欠き３９との係合の解除が開始されるように待機されている。上記位置検出手段としてのマイクロスイッチ５４からの検出信号は、位置検出回路５５を介してラッチ回路１５に送られ、それに基づいて、アクチュエータ制御回路１６を介してモータ３２に駆動が制御される。
【００３９】
本実施態様では、第３の構成要素３にはさらに、第１の構成要素１から第２の構成要素２に所定の信号が送信されていることを表示するための表示手段６１、およびその表示手段６１の点灯あるいは点滅を制御する表示手段制御回路（基板）６２が設けられている。表示手段６１は、図４に示すように、外部に対して点灯あるいは点滅表示できるように設けられており、たとえば、発光ダイオード等からなる。この表示手段６１の作動は、ラッチ回路１５からの指令に基づいて行われ、少なくとも上記モータ３２に作動と連動させて点灯あるいは点滅させたり、さらには、上記位置検出手段による所定位置検出よりモータ３２の作動が停止された後には、モータ３２の作動の作動を伴わない単なる点灯あるいは点滅表示を行わせることもできる。後者の作動は、たとえば暗闇の中で自転車の位置を確認するのに役立つ。
【００４０】
なお、本実施態様では位置検出回路５５と表示手段制御回路６２を第３の構成要素３内に組み込んであるが、第２の構成要素２と第３の構成要素３はハーネス２６によって電気的に接続されているので、図２の２点鎖線で示すように、これらの少なくとも一方を第２の構成要素２内に組み込むことも可能である。
【００４１】
上記のような自転車用錠装置においては、手動でかんぬき３３が施錠方向に移動され、ばね４４により付勢されているロックレバー４０の先端爪部４２が切り欠き３９に嵌入・係合することにより施錠が完了する。解錠時には、第１の構成要素１から識別信号を含む所定の電波が送信され、第２の構成要素２で受信されて、識別信号を確認した後、アクチュエータ制御回路１６を介して、第３の構成要素３に組み込まれたモータ３２が駆動され、減速機構４９、偏心カム５２を介してロックレバー４０が揺動され、先端爪部４２と切り欠き３９との係合が解除される。係合が解除されると、かんぬき３３はスプリング３６によって引っ張られているので、かんぬき３３は自動的に解錠方向に移動され、ストッパ３７に係止されて所定の解錠完了位置で停止する。このとき、偏心カム５２は図１に示した原点位置（初期位置）に達しており、ロックレバー４０はばね４４により付勢されているので、ロックレバー４０が揺動されて先端爪部４２が切り欠き３８に嵌入・係合し、図１の状態になる。したがって、解錠操作として、第１の構成要素１からの電波送信による遠隔操作が可能となる。
【００４２】
また、上記のような自転車用錠装置においては、金属製基体３５を覆うケース６３は樹脂からなっているので、錠本体３１ひいては自転車用錠装置の軽量化を達成できる。また、ケース６３は射出成形等により容易に一体成形することができるので、加工性、設計上の自由度を向上することができる。さらに、ケース６３には、成形と同時に、着色等の表面装飾を施すことができるので、従来の塗装工程等を省略しつつ、意匠性を大幅に向上することができる。
【００４３】
さらに、このような自転車用錠装置全体は、互いに別体に構成された第１の構成要素１、第２の構成要素２、第３の構成要素３から構成されるので、とくに従来一体化部品として構成されていた第２の構成要素２と第３の構成要素３が機械的に分割された構成とされ、各構成要素は小型に形成される。したがって、各部品の取扱いが大幅に容易化され、第２の構成要素２と第３の構成要素３を実際に自転車に取り付ける際の作業性が大幅に向上される。
【００４４】
また、第２の構成要素２と第３の構成要素３はハーネス２６によって電気的に接続されているので、電気部品、とくに基板の大部分や電源を第２の構成要素２内に収納することが可能になる。したがって、これら電装部品を、機械的な作動部を主体とする第３の構成要素３から分離して搭載でき、電装部品の組み込みや取扱いが容易になるとともに、電装部品を外部環境や外力に対し適切に保護することができる。また、とくに、電源１７（電池）の収納部を容易に独立した室に形成可能となるので、その交換を容易化でき、かつ、交換の際に他の電装部品や機械的要素に何ら影響を及ぼさないようにすることができる。
【００４５】
さらに、第２の構成要素２と第３の構成要素３を分割構成としたことで、各要素毎のメンテナンスや交換も可能となり、保守性も大幅に向上する。
【００４６】
【発明の効果】
以上説明したように、本発明の自転車用錠装置によれば、錠本体の加工性、意匠性の向上、軽量化の要請に機動的に対応できる。さらに、遠隔操作により解錠可能な自転車用錠装置においては、上記効果に加え第２の構成要素２と第３の構成要素３を分割構成とし、これらをハーネスを介して電気的に接続した構成とすることにより、各部品を小型化して各部品の取扱いや取り付けを大幅に容易化でき、また、電源を第２の構成要素２内に収納することにより、その交換性を向上でき、さらに、各構成要素のメンテナンス性や交換性も向上できる。
【図面の簡単な説明】
【図１】本発明の一実施態様に係る自転車用錠装置の全体構成図である。
【図２】図１の装置のブロック図である。
【図３】図１の装置を自転車に取り付けた状態を示す概略構成図である。
【図４】図１の装置の第１の構成要素の外観正面図である。
【図５】図１の装置の基体部を覆うケースの平面図である。
【図６】図４のＶＩ−ＶＩ線に沿う部分拡大断面図である。
【図７】図５のケースの部分拡大断面図である。
【図８】図７とは別の態様のケースの部分拡大断面図である。
【図９】図４のＩＸ−ＩＸ線に沿う部分拡大断面図である。
【図１０】従来の自転車用錠装置の錠本体の部分断面図である。
【符号の説明】
１  第１の構成要素
２  第２の構成要素
３  第３の構成要素
４  電波
５  送信手段
６  送信手段用電源
７  スイッチ手段
８  送信用アンテナ
１０  スペアキー
１１  受信用アンテナ
１２  受信手段
１３  （比較）判定手段
１４  （第１の）制御手段
１５  ラッチ回路
１６  アクチュエータ制御回路
１７  電源（電池）
１８  第２の制御手段
１９  電源電圧検出回路
２０  最低電圧設定回路
２１  電圧比較手段
２４  受信アンテナ部分のカバー部
２５  筒状部材
２６  ハーネス
３１  錠本体
３２  電動アクチュエータ（モータ）
３３  かんぬき
３４  枠体
３５  基体
３６  コイルスプリング
３７  ストッパ
３８、３９  切り欠き
４０  連桿体（ロックレバー）
４１  支点
４２  先端爪部
４３  他方の分岐端部
４４  ばね
４５  シリンダ錠
４６  ばね
４７  カム
４８  ロックレバーの他端部
４９  減速機構
５０  ウォームギア
５１  歯車群
５１ａ  最終歯車
５２  偏心カム
５３  原点マーク
５４  マイクロスイッチ（位置検出手段）
５５  位置検出回路（基板）
６１  表示手段
６２  表示手段制御回路
６３  ケース
６４、６５  門型のかんぬきガイド
６６  係合用穴
６７  係合用突起
６８  さぐり防止壁
６９  長穴
７０  駆動手段
７１  補強部材
７２  挟持用突起
７３  壁
７４  ストッパ金具
【図１】
0004157201.tif 000002
【図２】
0004157201.tif 000003
【図３】
0004157201.tif 000004
【図４】
0004157201.tif 000005
【図５】
0004157201.tif 000006
【図６】
0004157201.tif 000007
【図７】
0004157201.tif 000008
【図８】
0004157201.tif 000009
【図９】
0004157201.tif 000010
【図１０】
0004157201.tif 000011